(57)【要約】【課題】複数の配光用光学ユニットからの出射光の統一性を確保しながら、白色発光ダイオードおよび配光用光学ユニットのコスト低減を図ることができる車両用前照灯を提供すること。【解決手段】白色LED２を光源とする配光用光学ユニットHU1を複数搭載した車両用前照灯において、配光用光学ユニットHU1の光源からユニット外に光を出射するまでの光路上に、前記白色LED２の発光品質（発光色度や発光光度等）のばらつきを補正する発光品質補正部材として、色度補正フィルター６や光度補正フィルター１６を設定した。【選択図】図１
2009211853.tif 000002
【特許請求の範囲】
【請求項１】
白色発光ダイオードを光源とする配光用光学ユニットを複数搭載した車両用前照灯において、
前記配光用光学ユニットの光源からユニット外に光を出射するまでの光路上に、前記白色発光ダイオードの発光品質のばらつきを補正する発光品質補正部材を設定したことを特徴とする車両用前照灯。
【請求項２】
請求項１に記載された車両用前照灯において、
前記発光品質補正部材は、前記複数の配光用光学ユニットからの出射光が所望の色度範囲内の色度となるように、各白色発光ダイオードの発光色度に合わせて、透過率または反射率が設定されていることを特徴とする車両用前照灯。
【請求項３】
請求項１に記載された車両用前照灯において、
前記発光品質補正部材は、前記複数の配光用光学ユニットからの出射光が所望の光度レベルとなるように、発光光度が低い側の白色発光ダイオードの発光光度に合わせて、発光光度が高い側の白色発光ダイオードの発光光度を低くするように、透過率または反射率が設定されていることを特徴とする車両用前照灯。
【請求項４】
請求項１乃至請求項３の何れか１項に記載された車両用前照灯において、
前記発光品質補正部材は、白色発光ダイオードの発光品質を補正する補正フィルターであることを特徴とする車両用前照灯。
【請求項５】
請求項４に記載された車両用前照灯において、
前記配光用光学ユニットは、ユニットハウジングに設定された白色発光ダイオードと、反射面を有するリフレクタと、反射光を透過するプロジェクタレンズと、を有し、
前記補正フィルターは、前記プロジェクタレンズの反射光入力面に設定したことを特徴とする車両用前照灯。
【発明の詳細な説明】
【技術分野】
【０００１】
本発明は、白色発光ダイオードを光源とする配光用光学ユニットを複数搭載した車両用前照灯に関する。
【背景技術】
【０００２】
一般に知られているハロゲンバルブやキセノンバルブ等の光源と比較し、低消費電力、長寿命、小型であるという特徴を持つ発光ダイオードは、発光素子の高出力化、高輝度化に伴い、今後、車両前照灯としての使用増加が期待されている。
ここで、発光ダイオードとは、電流を流すと発光する半導体素子の一種であり、アノード(anode)とカソード(cathode)の２つの端子があり、アノードに正、カソードに負の電圧をかけると、数ボルトの電圧で電流が流れ、発光する。以下、発光ダイオードを、英語表記である「Light Emitting Diode」の頭文字による「LED」と略称する。
【０００３】
現在、車両前照灯として使用されているLEDは、青色発光ダイオード（LED素子）と黄色蛍光体を組み合わせた白色LEDである。そして、複数の白色LEDを、車両前照灯の光源として使用するものが知られている（例えば、特許文献１参照）。
【特許文献１】特開２００５−５３３８１号公報
【発明の開示】
【発明が解決しようとする課題】
【０００４】
しかしながら、従来の車両用前照灯の光源として使用されている白色LEDは、製造過程においてベースとなる青色発光ダイオード（LED素子）の発光波長のばらつき、ならびに黄色蛍光体量のばらつきにより、LED素子そのものの発光ばらつきが大きい。つまり、製造上の不可避なばらつきにより、LEDごとに発光色度、発光光度にばらつきがあり、前照灯として使用不可となるLEDが混在している。そこで、現状では、前照灯に使用するLEDは、LED完成品に対して、所望の発光色度、発光光度となるLEDを選別（破棄）し、前照灯に組み込んでいる。
【０００５】
すなわち、発光色度ばらつきがあるLED完成品に対して、発光色度ごとにLED素子の選別を実施し、前照灯に組み込んでおり、所望の発光色度外のLEDは破棄している。このため、LED１個あたりのコストが増大し、LEDを用いた配光用光学ユニットのコストが増大する、という問題があった。
【０００６】
また、発光光度ばらつきがあるLED完成品に対して、発光光度ごとにLED素子の選別を実施し、同等の光度レベルのLED素子を前照灯に組み込んでおり、所望の発光光度外のLEDは破棄している。このため、LED１個あたりのコストが増大し、LEDを用いた配光用光学ユニットのコストが増大する、という問題があった。
【０００７】
本発明は、上記問題に着目してなされたもので、複数の配光用光学ユニットからの出射光の統一性を確保しながら、白色発光ダイオードおよび配光用光学ユニットのコスト低減を図ることができる車両用前照灯を提供することを目的とする。
【課題を解決するための手段】
【０００８】
上記目的を達成するため、本発明の車両用前照灯では、白色発光ダイオードを光源とする配光用光学ユニットを複数搭載している。そして、前記配光用光学ユニットの光源からユニット外に光を出射するまでの光路上に、前記白色発光ダイオードの発光品質のばらつきを補正する発光品質補正部材を設定した。
ここで、発光品質補正部材とは、フィルターや塗膜（コーティング）等の発光色度や発光光度等を補正する部材をいう。
また、白色発光ダイオードの発光品質とは、発光色度、発光光度、発光色度と発光光度の組み合わせ、等をいう。
【発明の効果】
【０００９】
よって、本発明の車両用前照灯にあっては、配光用光学ユニットの光源からユニット外に光を出射するまでの光路上に設定した発光品質補正部材により、白色発光ダイオードの発光品質のばらつきが補正される。
すなわち、製造上、不可避なばらつきを持つ白色発光ダイオードの発光色度や発光光度の補正が可能となる。よって、前照灯に組み込む白色発光ダイオードの選別が不要となり、かつ、これまで前照灯として使用不可であった白色発光ダイオードも使用可能となる。また、複数の白色発光ダイオードに発光色度が異なるものが含まれていても、補正により複数の配光用光学ユニットからの出射光の色度統一ができる。また、複数の白色発光ダイオードに発光光度が異なるものが含まれていても、補正により複数の配光用光学ユニットからの出射光の光度統一ができる。
この結果、複数の配光用光学ユニットからの出射光の統一性を確保しながら、白色発光ダイオードおよび配光用光学ユニットのコスト低減を図ることができる。
【発明を実施するための最良の形態】
【００１０】
以下、本発明の車両用前照灯を実現する最良の形態を、図面に示す実施例１および実施例２に基づいて説明する。
【実施例１】
【００１１】
まず、構成を説明する。
図１は、実施例１の車両用前照灯に適用される配光用光学ユニットの内部構造を示す概略図である。図２は、実施例１の車両用前照灯に適用される配光用光学ユニットの色度補正フィルターの一例を示す図である。
【００１２】
実施例１の車両用前照灯に適用される配光用光学ユニットHU1は、図１に示すように、ユニットハウジング１と、白色LED２（白色発光ダイオード）と、インナーキャップ３と、リフレクタ４と、インナーレンズ５と、色度補正フィルター６（発光品質補正部材、補正フィルター）と、プロジェクタレンズ７と、を備えている。
【００１３】
前記白色LED２を光源とする配光用光学ユニットHU1は、前照灯として車両に搭載される際、少なくとも左右一対搭載されるし、左右のそれぞれで２灯式や３灯式等とした場合には、さらに搭載されるユニット数が増えることになる。
【００１４】
前記白色LED２は、図１に示すように、ユニットハウジング１にLED素子光Ａをリフレクタ４の反射面４ａに向けるように設けられている。この白色LED２は、その全体がドーム形状のインナーキャップ３にて覆われている。
【００１５】
前記リフレクタ４は、図１に示すように、内面に凹曲面による反射面４ａが形成され、前記白色LED２からのLED素子光Ａを、インナーレンズ５およびプロジェクタレンズ７に向けて反射する。
【００１６】
前記色度補正フィルター６は、配光用光学ユニットHU1の光源からユニット外に光を出射するまでの光路上に設定され、前記白色LED２の発光品質のばらつきを補正する発光品質補正部材のうち、白色LED２の発光色度を補正する補正フィルターである。
【００１７】
そして、色度補正フィルター６は、前記複数の配光用光学ユニットHU1からの出射光Ｂが所望の色度範囲内の色度となるように、各白色LED２…の発光色度に合わせて、透過率を設定している。つまり、色度補正フィルター６として、青色・赤色・黄色・緑色等を呈するそれぞれの波長域に合わせ、図２に示すように、透過率が低下する波長域が、青色波長域・赤色波長域・黄色波長域・緑色波長域というように異なるフィルター特性を持つ色度補正フィルター６ａ，６ｂ，６ｃ，…が、複数枚用意されている。
【００１８】
そして、この色度補正フィルター６は、図１に示すように、LED素子光Ａの光路上に設定されたインナーキャップ３、リフレクタ４、インナーレンズ５、プロジェクタレンズ７のうち、プロジェクタレンズ７の反射光入力面７ａに設定している。このプロジェクタレンズ７は、反射光入力面７ａが平面で、集光して出射光Ｂを出す出射光出力面７ｂが凸曲面である。
【００１９】
次に、作用を説明する。
現在、車両前照灯として使用されているLEDは青色発光ダイオード（LED素子）と黄色蛍光体を組み合わせた白色LEDである。この白色LEDは、製造上の不可避なばらつきにより、LEDごとに発光色度にばらつきがあり、前照灯として使用可能となるLEDの数が少ないという問題がある。そこで、このLEDの発光色度ばらつきの問題に対し、現状では、所望の発光色度となるLEDを選別し、その条件をクリアしたLEDが前照灯に組み込みこまれている。なお、この選別で所望の範囲外のLEDは、他の用途に使用することがあるものの、結果として破棄される場合が多く、結果として前照灯に使用可能なLEDのコストが高いという問題がある。
【００２０】
これに対し、実施例１では、白色LED２を光源とする配光用光学ユニットHU1を複数搭載した車両用前照灯において、白色LED２の発光色度のばらつきを補正する色度補正フィルター６をLED素子光Ａの光路上に設定する構成を採用した。
【００２１】
このような構成を採用することで、色度補正フィルター６により、配光用光学ユニットHU1からの出射光Ｂとして、所望の発光色度に補正することが可能となる。これにより、これまで所望の発光色度範囲外で結果として破棄されていた白色LEDが、発光色度補正により使用可能となるので、前照灯として使用可能な白色LEDの数を増加することができ、結果、白色LED２のコスト削減、並びに、配光用光学ユニットHU1のコスト削減が可能となる。
【００２２】
下記にフィルター色度補正作用の一例を説明する。
図３は、実施例１の配光用光学ユニットHU1にて用いられる青色波長域の透過率が低い色度補正フィルターのフィルター透過率特性図である。図４は、実施例１の配光用光学ユニットHU1において図３の特性を持つ色度補正フィルターを用いたときの色度補正をあらわす図で、(a)は色度補正フィルター透過前のスペクトル分布特性を示し、(b)は色度補正フィルター透過後のスペクトル分布特性を示す。図５は、車両用前照灯としての所望の色度範囲（白色）と青色・赤色・黄色・緑色の各範囲を示す色度座標系を示す図である。図６は、実施例１の複数の配光用光学ユニットHU1のうち１つのユニットに色度補正フィルターを設定することで発光色度の統一させた例を示す図で、(a)は色度補正フィルター設定前の配光状況を示し、(b)は色度補正フィルター設定後の配光状況を示す。
【００２３】
青色発光ダイオードと黄色蛍光体による白色光は、透過する青色光の割合を正確に捉えることが難しい。このため、色度が青色帯びている白色LED２が含まれる場合の色度補正フィルター６による色度補正を例にとる。
【００２４】
まず、白色LED２の色度が青色帯びていて、図５の色度座標においてＣ点位置に存在する場合、色度補正フィルター６として、青色波長域（波長が460nm前後域）の透過率が低い（20％減光）の特性を持つ色度補正フィルター６を用意する。そして、この色度補正フィルター６を、配光用光学ユニットHU1のうち、プロジェクタレンズ７の反射光入力面７ａの位置に設定する。
【００２５】
これにより、色度補正フィルター６の透過前は、図４(a)に示すように、青色波長域（波長が460nm前後域）の発光強度が強いスペクトル分布特性を示すのに対し、色度補正フィルター６の透過後は、図４(b)に示すように、青色波長域（波長が460nm前後域）の発光強度のみが減光されたスペクトル分布特性を示す。
【００２６】
したがって、図５の色度座標においてＣ点位置に存在していた白色LED２の色度が、図５の色度座標において、所望の色度範囲内（白色）であるＤ点位置に移動する。つまり、色度に応じた波長域の透過率を補正する色度補正フィルター６を用い、出射光Ｂのある波長のみの光を抑制することにより、白色LED２の発光色度と所望の出射光色度との差を埋める発光色度の補正が可能となる。これにより、同一色度の白色LEDを使用しなければならないという制約がなくなるので、コストダウンになる。
【００２７】
そして、例えば、図６(a),(b)に示すように、３個の配光用光学ユニットHU1-1,HU1-2,HU1-3のうち、他の２つのユニットとは発光色度が異なる１つの配光用光学ユニットHU1-3に色度補正フィルター６を設定する。これにより、色度補正フィルター６の設定前の配光状況は、図６(a)に示すように、配光用光学ユニットHU1-3からの出射光Ｂ-3の色度が他の配光用光学ユニットHU1-1,HU1-2からの出射光Ｂ-1,Ｂ-2の色度と異なるのに対し、色度補正フィルター６の設定後の配光状況は、図６(b)に示すように、３個の配光用光学ユニットHU1-1,HU1-2,HU1-3からの出射光Ｂ-1,Ｂ-2,Ｂ-3の発光色度が白色に統一したものとなる。このように、白色LED２の発光色度によって最適な色度補正フィルター６を選択することにより、白色LED２の発光色度のばらつきにかかわらず、所望の白色による出射光Ｂの獲得が可能となる。
【００２８】
次に、効果を説明する。
実施例１の車両用前照灯にあっては、下記に列挙する効果を得ることができる。
【００２９】
(1) 白色LED２を光源とする配光用光学ユニットHU1を複数搭載した車両用前照灯において、前記配光用光学ユニットHU1の光源からユニット外に光を出射するまでの光路上に、前記白色LED２の発光品質のばらつきを補正する発光品質補正部材（色度補正フィルター６）を設定した。このため、複数の配光用光学ユニットHU1からの出射光Ｂの統一性を確保しながら、白色LED２および配光用光学ユニットHU1のコスト低減を図ることができる。
【００３０】
(2) 前記発光品質補正部材は、前記複数の配光用光学ユニットHU1からの出射光Ｂが所望の色度範囲内の色度となるように、各白色LED２の発光色度に合わせて、透過率または反射率が設定されている。このため、白色LED２の発光色度のばらつきを補正することで、所望の発光色度となるLEDを選別する必要がなく、また、所望の発光色度の範囲外のLEDを破棄等する必要もなく、結果として製造された白色LED２の殆ど全てを前照灯に使用可能とし、白色LED２のコストダウンを達成することができる。
【００３１】
(3) 前記発光品質補正部材は、白色LED２の発光色度を補正する色度補正フィルター６である。このため、予め用意しておいた色度補正フィルター６から適正なフィルターを選択し、配光用光学ユニットHU1の光路上に設定するだけの容易な手法により、白色LED２の発光色度のばらつきを補正することができる。
【００３２】
(4) 前記配光用光学ユニットHU1は、ユニットハウジング１に設定された白色LED２と、反射面４ａを有するリフレクタ４と、反射光を透過するプロジェクタレンズ７と、を有し、前記色度補正フィルター６は、前記プロジェクタレンズ７の反射光入力面７ａに設定した。このため、平面であるプロジェクタレンズ７の反射光入力面７ａに、色度補正フィルター６を容易に設定することができる。
【実施例２】
【００３３】
実施例２は、実施例１がフィルターにより発光色度を補正するのに対し、フィルターにより発光光度を補正するようにした例である。
【００３４】
まず、構成を説明する。
図７は、実施例２の車両用前照灯に適用される配光用光学ユニットの内部構造を示す概略図である。図８は、実施例２の車両用前照灯に適用される配光用光学ユニットの光度補正フィルターの一例を示す図である。
【００３５】
実施例２の車両用前照灯に適用される配光用光学ユニットHU2は、図７に示すように、ユニットハウジング１と、白色LED２（白色発光ダイオード）と、インナーキャップ３と、リフレクタ４と、インナーレンズ５と、光度補正フィルター１６（発光品質補正部材、補正フィルター）と、プロジェクタレンズ７と、を備えている。
【００３６】
前記白色LED２を光源とする配光用光学ユニットHU2は、前照灯として車両に搭載される際、少なくとも左右一対搭載されるし、左右のそれぞれで２灯式や３灯式等とした場合には、さらに搭載されるユニット数が増えることになる。
【００３７】
前記光度補正フィルター１６は、配光用光学ユニットHU2の光源からユニット外に光を出射するまでの光路上に設定され、前記白色LED２の発光品質のばらつきを補正する発光品質補正部材のうち、白色LED２の発光光度を補正する補正フィルターである。
【００３８】
そして、光度補正フィルター１６は、前記複数の配光用光学ユニットHU2からの出射光Ｂ所望の光度レベルとなるように、発光光度が低い側の白色LED２の発光光度に合わせて、発光光度が高い側の白色LED２の発光光度を低くするように、全波長域に対する透過率を設定している。つまり、光度補正フィルター１６として、発光光度を低下させるレベルに合わせ、図８に示すように、透過率が最も低下するもの、透過率が少し低下するもの、透過率が僅かに低下するもの等のように、異なるフィルター特性を持つ光度補正フィルター１６ａ，１６ｂ，１６ｃ，…が、複数枚用意されている。
【００３９】
そして、この光度補正フィルター１６は、図７に示すように、LED素子光Ａの光路上に設定されたインナーキャップ３、リフレクタ４、インナーレンズ５、プロジェクタレンズ７のうち、プロジェクタレンズ７の反射光入力面７ａに設定している。このプロジェクタレンズ７は、反射光入力面７ａが平面で、集光して出射光Ｂを出す出射光出力面７ｂが凸曲面である。なお、他の構成は、実施例１と同様である。
【００４０】
次に、作用を説明する。
現在、車両前照灯として使用されているLEDは青色発光ダイオード（LED素子）と黄色蛍光体を組み合わせた白色LEDである。この白色LEDは、製造上の不可避なばらつきにより、LEDごとに発光光度にばらつきがあり、前照灯として使用可能となるLEDの数が少ないという問題がある。そこで、このLEDの発光光度ばらつきの問題に対し、現状では、所望の発光光度となるLEDを選別し、その条件をクリアしたLEDが前照灯に組み込みこまれている。なお、この選別で所望の範囲外のLEDは、他の用途に使用することがあるものの、結果として破棄される場合が多く、結果として前照灯に使用可能なLEDのコストが高いという問題がある。
【００４１】
これに対し、実施例２では、白色LED２を光源とする配光用光学ユニットHU2を複数搭載した車両用前照灯において、白色LED２の発光光度のばらつきを補正する光度補正フィルター１６をLED素子光Ａの光路上に設定する構成を採用した。
【００４２】
このような構成を採用することで、光度補正フィルター１６により、配光用光学ユニットHU2からの出射光Ｂとして、所望の発光光度に補正することが可能となる。これにより、これまで所望の発光光度範囲外で結果として破棄されていた白色LEDが、発光光度補正により使用可能となるので、前照灯として使用可能な白色LEDの数を増加することができ、結果、白色LED２のコスト削減、並びに、配光用光学ユニットHU2のコスト削減が可能となる。
【００４３】
下記にフィルター光度補正作用の一例を説明する。
図９は、実施例２の配光用光学ユニットHU2にて用いられる光度補正フィルターのフィルター透過率特性図であり、(a)はフィルター透過率80％のフィルター透過率特性を示し、(b)はフィルター透過率90％のフィルター透過率特性を示す。図１０は、実施例２の配光用光学ユニットHU2において図９(a),(b)の特性を持つ光度補正フィルターを用いたときの光度補正をあらわす図で、(a)は光度補正フィルター透過前のスペクトル分布特性を示し、(b)は光度補正フィルター透過後のスペクトル分布特性を示す。図１１は、実施例２の複数の配光用光学ユニットHU2のうち１つのユニットに光度補正フィルターを設定することで発光光度の統一させた例を示す図で、(a)は光度補正フィルター設定前の配光状況を示し、(b)は光度補正フィルター設定後の配光状況を示す。
【００４４】
青色発光ダイオードと黄色蛍光体による白色光は、透過する青色光の割合を正確に捉えることが難しい。このため、他より発光光度が高い白色LED２が含まれる場合の光度補正フィルター１６による光度補正を例にとる。
【００４５】
まず、光度補正フィルター１６として、例えば、図９(a)に示すように、フィルター透過率が80％（20％減光）の特性を持つ光度補正フィルター１６や、例えば、図９(b)に示すように、フィルター透過率が90％（10％減光）の特性を持つ光度補正フィルター１６を用意する。そして、１つの白色LED２の光度が、他の白色LED２の光度より高い場合、光度が高い白色LED２の光度が、他の白色LED２の光度と同レベルとなるフィルター透過率を持つ光度補正フィルター１６を選択し、これを配光用光学ユニットHU2のうち、プロジェクタレンズ７の反射光入力面７ａの位置に設定する。
【００４６】
これにより、光度補正フィルター１６の透過前は、図１０(a)に示すように、全波長域で発光強度が強いスペクトル分布特性を示すのに対し、光度補正フィルター１６の透過後は、図１０(b)に示すように、全波長域での減光により発光強度が低く抑えられたスペクトル分布特性を示す。
【００４７】
したがって、他の白色LED２の光度より高い白色LED２の光度が、他の白色LED２の光度と同レベルとなる。つまり、光度に応じて全波長域で減光補正する光度補正フィルター１６を用いることにより、他より高い白色LED２の発光光度を、他の白色LED２の発光光度と同レベルにする補正が可能となる。これにより、同一光度の白色LEDを使用しなければならないという制約がなくなるので、コストダウンになる。
【００４８】
そして、例えば、図１１(a),(b)に示すように、３個の配光用光学ユニットHU2-1,HU2-2,HU2-3のうち、配光用光学ユニットHU2-1,HU2-2より発光光度が高い１つの配光用光学ユニットHU2-3に光度補正フィルター１６を設定する。これにより、光度補正フィルター１６の設定前の配光状況は、図１１(a)に示すように、配光用光学ユニットHU1-3からの出射光Ｂ-3の光度が他と出射光Ｂ-1,Ｂ-2の光度と異なるのに対し、光度補正フィルター１６の設定後の配光状況は、図１１(b)に示すように、３個の配光用光学ユニットHU2-1,HU2-2,HU2-3からの出射光Ｂ-1,Ｂ-2,Ｂ-3の発光光度が同レベルで統一したものとなる。このように、白色LED２の発光光度によって最適な光度補正フィルター１６を選択することにより、白色LED２の発光光度のばらつきにかかわらず、所望の発光光度に統一化された出射光Ｂの獲得が可能となる。
【００４９】
次に、効果を説明する。
実施例２の車両用前照灯にあっては、実施例１の(1)の効果に加え、下記に列挙する効果を得ることができる。
【００５０】
(5) 前記発光品質補正部材は、前記複数の配光用光学ユニットHU2からの出射光Ｂが所望の光度レベルとなるように、発光光度が低い側の白色LED２の発光光度に合わせて、発光光度が高い側の白色LED２の発光光度を低くするように、透過率に設定されている。このため、白色LED２の発光色度のばらつきを補正することで、所望の発光光度となるLEDを選別する必要がなく、また、所望の発光光度の範囲外のLEDを破棄等する必要もなく、結果として製造された白色LED２の殆ど全てを前照灯に使用可能とし、白色LED２のコストダウンを達成することができる。
【００５１】
(6) 前記発光品質補正部材は、白色LED２の発光光度を補正する光度補正フィルター１６である。このため、予め用意しておいた光度補正フィルター１６から適正なフィルターを選択し、配光用光学ユニットHU2の光路上に設定するだけの容易な手法により、白色LED２の発光光度のばらつきを補正することができる。
【００５２】
(7) 前記配光用光学ユニットHU2は、ユニットハウジング１に設定された白色LED２と、反射面４ａを有するリフレクタ４と、反射光を透過するプロジェクタレンズ７と、を有し、前記光度補正フィルター１６は、前記プロジェクタレンズ７の反射光入力面７ａに設定した。このため、平面であるプロジェクタレンズ７の反射光入力面７ａに、光度補正フィルター１６を容易に設定することができる。
【００５３】
以上、本発明の車両用前照灯を実施例１および実施例２に基づき説明してきたが、具体的な構成については、これらの実施例に限られるものではなく、特許請求の範囲の各請求項に係る発明の要旨を逸脱しない限り、設計の変更や追加等は許容される。
【００５４】
実施例１，２では、発光品質補正部材として、色度補正フィルター６と光度補正フィルター１６を用いる例示した。しかし、発光品質補正部材としては、フィルターに限定されるものではなく、LED素子光の光路上に存在する配光用光学ユニットの構成部品への塗膜（コーティング）としても良い。
【００５５】
実施例１，２では、発光品質補正部材をプロジェクタレンズ７の反射光入力面７ａに設定する例を示した。しかし、フィルターや塗膜等による発光品質補正部材は、LED素子光の光路上に存在する配光用光学ユニットのプロジェクタレンズ７以外の構成部品等に設定しても良い。実施例１，２の場合、例えば、インナーキャップ３の内外面、リフレクタ４の反射面４ａ、インナーレンズ５の内外面、プロジェクタレンズ７の出射光面等に設定することができる。また、リフレクタ４の反射面４ａに色度補正塗膜や光度補正塗膜を設定するような場合、透過率に代えて反射率を色度や光度に応じて設定する。
【００５６】
実施例１では、白色LED２の色度を補正する例を示し、実施例２では、白色LED２の色度を補正する例を示した。しかし、例えば、色度補正と光度補正の２枚のフィルターを用いたり、色度と光度を共に補正する透過率特性を持つ１枚のフィルターを用いたりして、白色LED２の色度と光度の両方を補正する例としても良い。
【産業上の利用可能性】
【００５７】
実施例１，２では、インナーレンズやプロジェクタレンズを有する配光用光学ユニットへの適用例を示したが、実施例１，２とは異なる構成を持つ配光用光学ユニットを複数搭載した車両用前照灯に対しても適用することができる。
【図面の簡単な説明】
【００５８】
【図１】実施例１の車両用前照灯に適用される配光用光学ユニットの内部構造を示す概略図である。
【図２】実施例１の車両用前照灯に適用される配光用光学ユニットの色度補正フィルターの一例を示す図である。
【図３】実施例１の配光用光学ユニットHU1にて用いられる青色波長域の透過率が低い色度補正フィルターのフィルター透過率特性図である。
【図４】実施例１の配光用光学ユニットHU1において図３の特性を持つ色度補正フィルターを用いたときの色度補正をあらわす図で、(a)は色度補正フィルター透過前のスペクトル分布特性を示し、(b)は色度補正フィルター透過後のスペクトル分布特性を示す。
【図５】車両用前照灯としての所望の色度範囲（白色）と青色・赤色・黄色・緑色の各範囲を示す色度座標系を示す図である。
【図６】実施例１の複数の配光用光学ユニットHU1のうち１つのユニットに色度補正フィルターを設定することで発光色度の統一させた例を示す図で、(a)は色度補正フィルター設定前の配光状況を示し、(b)は色度補正フィルター設定後の配光状況を示す。
【図７】実施例２の車両用前照灯に適用される配光用光学ユニットの内部構造を示す概略図である。
【図８】実施例２の車両用前照灯に適用される配光用光学ユニットの光度補正フィルターの一例を示す図である。
【図９】実施例２の配光用光学ユニットHU2にて用いられる光度補正フィルターのフィルター透過率特性図であり、(a)はフィルター透過率80％のフィルター透過率特性を示し、(b)はフィルター透過率90％のフィルター透過率特性を示す。
【図１０】実施例２の配光用光学ユニットHU2において図９(a),(b)の特性を持つ光度補正フィルターを用いたときの光度補正をあらわす図で、(a)は光度補正フィルター透過前のスペクトル分布特性を示し、(b)は光度補正フィルター透過後のスペクトル分布特性を示す。
【図１１】実施例２の複数の配光用光学ユニットHU2のうち１つのユニットに光度補正フィルターを設定することで発光光度の統一させた例を示す図で、(a)は光度補正フィルター設定前の配光状況を示し、(b)は光度補正フィルター設定後の配光状況を示す。
【符号の説明】
【００５９】
HU1,HU2  配光用光学ユニット
１  ユニットハウジング
２  白色LED（白色発光ダイオード）
３  インナーキャップ
４  リフレクタ
４ａ  反射面
５  インナーレンズ
６  色度補正フィルター（発光品質補正部材、補正フィルター）
７  プロジェクタレンズ
７ａ  反射光入力面
７ｂ  出射光出力面
１６  光度補正フィルター（発光品質補正部材、補正フィルター）
【図１】
2009211853.tif 000003
【図２】
2009211853.tif 000004
【図３】
2009211853.tif 000005
【図４】
2009211853.tif 000006
【図５】
2009211853.tif 000007
【図６】
2009211853.tif 000008
【図７】
2009211853.tif 000009
【図８】
2009211853.tif 000010
【図９】
2009211853.tif 000011
【図１０】
2009211853.tif 000012
【図１１】
2009211853.tif 000013